(57)【特許請求の範囲】
【請求項１】
ＣＳ放送受信用オフセットアンテナは、衛星からのＣＳ放送信号を受信可能な向きで配置される反射鏡と、その反射鏡からのＣＳ放送信号を受信する位置に置かれるＣＳ放送受信用コンバータと、上記反射鏡とＣＳ放送受信用コンバータとを固定的に連結する支持腕とから成り、さらに、ＣＳ放送受信用オフセットアンテナには連結部材を介してＢＳ放送受信の為のＢＳ放送受信用コンバータが取付けられているＣＳ放送／ＢＳ放送受信用オフセットパラボラアンテナにおいて、上記支持腕の断面形状は外周が角形になるよう形成する一方、上記支持腕に対するＢＳ放送用コンバータの連結部材の構成は、一端は上記ＢＳ放送用コンバータに固着してあり、他端には、上記支持腕の外周の角形形状に沿って回動不能に合着するように内側を対応角形にした把持具を備え、上記ＣＳ放送受信用コンバータに対してＢＳ放送受信用コンバータの位置が、本州中部に於いてＢＳ放送発信用衛星からの信号が上記反射鏡にて反射されて上記ＢＳ放送受信用コンバータに最良の受信レベルで入射する位置となるように設定してあることを特徴とするＣＳ放送受信用オフセットアンテナに対するＢＳ放送受信用コンバーターの取付具。
【発明の詳細な説明】
【０００１】
【発明の属する技術分野】
本発明はＣＳ放送受信用オフセットアンテナに対するＢＳ放送受信用コンバーターの取付具に関する。
【０００２】
【従来の技術】
従来、複数の衛星からの各放送（通信）電波信号を受信する為の衛星放送受信用アンテナとしては、図６に示すような構成のものが知られている。即ち、１枚の反射板２に対し、複数の衛星から来る夫々の電波を夫々収束する位置に対応コンバータ４、６を配置して複数の信号を受信する手法が知られている（たとえば特開平５−１４０３９号公報参照）。
【０００３】
【発明が解決しようとする課題】
一方、ＣＳ放送（通信）受信のためにＣＳ通信受信用オフセットアンテナを購入する人が、既にＢＳアンテナを設置している場合は二台を並置しなければならず、既にＣＳアンテナを購入して設置している人がＢＳ放送の受信を希望する場合は別にＢＳ放送用アンテナ設置しなければならない等、経費的、場所的悩みがある。
そこで望ましくは、上記ＣＳ受信用アンテナを利用してそれにＢＳ受信用コンバータを付設することによって、図６に示されるものと同じような機能が得られるのであればそれが最も好ましいことであるが、受信方向の設定調整作業は素人には困難を伴い、街の電気屋さんにお願いしても、にわかに正確な方向を定めることはできない悩みがあり、現場での対応は困難とされている。
そこで本発明の目的は、街の電気知識のある工事屋さんは勿論のこと、素人であっても家庭においてＣＳアンテナに、ＢＳコンバータを簡単に装着することができ、装着するだけでもってＣＳアンテナに対するＢＳ用衛星放送との角度位置が、明確に定るように構成されたＣＳ放送受信用オフセットアンテナに対するＢＳ放送受信用コンバーターの取付具を提供しようとするものである。
【０００４】
【課題を解決するための手段】
上記目的を達成する為に、本願発明においてＣＳ放送受信用オフセットアンテナは、衛星からのＣＳ放送信号を受信可能な向きで配置される反射鏡と、その反射鏡からのＣＳ放送信号を受信する位置に置かれるＣＳ放送受信用コンバータと、上記反射鏡とＣＳ放送受信用コンバータとを固定的に連結する支持腕とから成り、さらに、ＣＳ放送受信用オフセットアンテナには連結部材を介してＢＳ放送受信の為のＢＳ放送受信用コンバータが取付けられているＣＳ放送／ＢＳ放送受信用オフセットパラボラアンテナにおいて、上記支持腕の断面形状は外周が角形になるよう形成する一方、上記支持腕に対するＢＳ放送用コンバータの連結部材の構成は、一端は上記ＢＳ放送用コンバータに固着してあり、他端には、上記支持腕の外周の角形形状に沿って回動不能に合着するように内側を対応角形にした把持具を備え、上記ＣＳ放送受信用コンバータに対してＢＳ放送受信用コンバータの位置が、本州中部に於いてＢＳ放送発信用衛星からの信号が上記反射鏡にて反射されて上記ＢＳ放送受信用コンバータに最良の受信レベルで入射する位置となるように設定したものである。
【０００５】
【発明の実施の形態】
以下本願発明の実施の形態を示す図面について説明する。図１乃至図５において、１はＣＳ放送受信用オフセットアンテナで、ＣＳ放送（通信）信号発信用の衛星からのＣＳ放送信号を受信可能な向き（例えば東経１２８度の方向）に配置された反射鏡２と、その反射鏡２からのＣＳ放送信号を受信する位置に定置されたＣＳ放送受信用コンバータ４と、上記反射鏡２とＣＳ放送受信用コンバータ４とを固定的に連結する支持腕３とから構成されている。
上記オフセットパラボラアンテナの反射鏡２は周知のように方位角、仰角を最適受信位置に調節し、マスト２ａ（又はベランダの支柱）に不動状態に止着して受信状態にしてある。上記コンバータ４も、それの一次放射器５の位置がＣＳ信号最適受信位置となるよう支持腕３を介して反射鏡２に固着してある。上記支持腕３と、上記コンバータ４とは図３のように着脱自在に連結してある。１１は、外周が角形（四角又は多角形）の中空管で形成された支持腕３の一端にみられる角形の連結用凹部で、これに相手方（コンバータ４の側）の対応角形の突出部１２を差込んで両者を図４の如く固着する。１３、１４は締付用の一対のねじとねじ孔を示し、１５は出力用ケーブル、１６は偏波面調整具等の周知部材を示す。
次に上記ＣＳ放送受信用オフセットアンテナ１には連結部材７を介してＢＳ放送受信の為のＢＳ放送受信用コンバータ６が取付けられてＣＳ放送／ＢＳ放送受信用オフセットパラボラアンテナ１ａを構成しているので、この点を説明する。
上記支持腕３に対するＢＳ放送用コンバータ６の連結部材７の構成は、一端１６は上記ＢＳ放送用コンバータ６に対して着脱自在に固着してあり、他端１７には、上記支持腕３の外周３ａの断面形状（四角）に沿って回動不能に合着するように内側１８を対応中空の角形にした把持具１７を備え、全体の両ブースタ中心相互間を結ぶ長さ１９は、上記ＣＳ放送受信用コンバータ４に対してＢＳ放送受信用コンバータ６が水平状態よりもやや高くなる高さになる図１の状態で、上記支持腕３に上記把持具１７を固着した場合に、ＢＳ放送受信用コンバータ６の位置がＢＳ放送（通信信号）発信用衛星からの信号２０が図２の如く上記反射鏡２にて反射されて上記ＢＳ放送受信用コンバータ６に向う信号２１となって、収束された信号が一次放射器６ａに入射する位置となるように設定してある。連結部材７の全体は硬質に、例えばプラスチック、アルミダイカスト成形される。把持具１７は、支持腕３の外周に密着状の嵌着を可能に成形される。なお把持具１７の止着位置は、支持腕３の連結部３０が目印になるように形成、例えば支持腕３の連結部の下側の端面３１を把持具１７の内径より大きくし、位置決めできるようにしておくと、支持腕３に対する把持具１７の下側の位置は決定される。また把持具１７と支持腕３に対し図５の一対の基本目印３５と、３５ａ、３５ｂ、３５ｃの地域別目印を付しておけば、上記三つの地域で夫々最良受信できる。連結部材７は両コンバータ４、６が焦点位置２３から同距離になるよう湾曲させてある。２５は締付用の押ねじを示す。
なおＢＳの仰角と、ＣＳ（ＪＣＳＡＴ３）の仰角とは、例えば札幌では３１．２°と３８．５°で７．３°の差がある。同様に東京では３８．１°と４６．７°、差は８．６°。中部の名古屋では４０．１°と４８．１°、差は８°。鹿児島では４７．０°と５３．１°、差は６．９°となり、ＣＳアンテナ１に対するＢＳコンバータ連結部材７の取付構造は中部を対象にして設定しておくと、本州ではそのまま、北海道と九州では僅かに把持具１７を上下方向に微移動させるだけで受信可能となる。
次に反射鏡２と、コンバータ４と、コンバータ６との三者の位置関係は、例えば反射鏡２の横幅２２を５０ｃｍ、反射鏡２の焦点位置２３とコンバータ４との距離２４を３０ｃｍ、反射鏡２の向きは東経１２８度とした場合、焦点位置２３とコンバータ６との距離はコンバータ４と同様にする為、３０ｃｍ、両コンバータ相互間の水平距離２４ａは１１ｃｍとなるよう連結部材７の長さ１９を定め、かつ、コンバータ４よりもコンバータ６の位置を４ｃｍ高くしておけば、東経１１０度の衛星からのＢＳ信号２０は前記のように反射信号２１となってコンバータ６（一次放射器６ａ）に入射する。従って反射鏡２の径が変れば上記比率から分るように夫々の寸法を変えれば夫々ＣＳ、ＢＳ信号を共に適正に受信できる。
【０００６】
上記構成のものにあっては、図３の状態から図４の状態に組付けるだけで、両コンバータ４、６は夫々図２に示す適正受信可能位置に固定される。
【０００７】
次に図５に示される連結部材７の一端にあるべき断面コ字状の把持具２６について説明する。図３の把持具１７とは異なり一部が開口２７されており、支持腕３のように連結部２１があるものとは異なるものに対しても開口部２７から支持腕３を横に抜いたり、入れたり出来るようにして、装着可能にしてある。
【０００８】
【発明の効果】
以上のように本願発明にあっては、連結部材７の構成が、上記支持腕３に上記把持具１７を固着した場合、ＢＳ放送受信用コンバータ６の位置が、ＢＳ放送発信用衛星からの信号が上記反射鏡２にて反射されて上記ＢＳ放送受信用コンバータ６に入射する位置となるように設定してある為、ＣＳ電波を受信する為のＣＳ放送受信用オフセットアンテナ１においてコンバータ４と反射鏡２とを結ぶ支持腕３に対して、上記連結部材７の元部１７を固着するだけでもってＣＳ放送の受信を妨げることなく、しかもＢＳ放送のコンバータ６の位置をＢＳ電波の到来方向に正確に合わせることができ、一台のＣＳ放送受信用オフセットアンテナ１を利用してＢＳ放送受信のためのコンバータ６を簡易に受信可能に装着ならしめる取付上の大きな効果がある。
【図面の簡単な説明】
【図１】ＣＳ放送／ＢＳ放送受信用オフセットパラボラアンテナの斜視図。
【図２】ＣＳ放送／ＢＳ放送受信用オフセットパラボラアンテナの平面図。
【図３】二つのコンバータの連結状態を示す分解斜視図。
【図４】二つのコンバータの斜視図。
【図５】把持具の異なる例を示す斜視図。
【図６】従来のＣＳ／ＢＳ放送受信アンテナの傾視図。
【符号の説明】
１  ＣＳ放送受信用オフセットアンテナ
２  反射鏡
３  支持腕
４  ＣＳ放送受信用コンバータ
６  ＢＳ放送受信用コンバータ
７  連結部材
１７  把持具
【図１】
0003588189.tif 000002
【図２】
0003588189.tif 000003
【図３】
0003588189.tif 000004
【図４】
0003588189.tif 000005
【図５】
0003588189.tif 000006
【図６】
0003588189.tif 000007